Podtech/llm-jp-corpus-v4-ja_patent huggingface dataset:
(57)【要約】【課題】常に良好な視界を確保できる装置を提供する。【解決手段】カメラ４などを収納できる寸法を備え、かつ少なくとも一面の一部が透明であるか開放してある容器１と、容器１の透明部、開放部の前面に位置する透明膜２と、その透明膜２を巻き取るための巻き取り装置３から構成する。【選択図】図１
2013130803.tif 000002
【特許請求の範囲】
【請求項１】
カメラなどを収納できる寸法を備え、
かつ少なくとも一面の一部が透明であるか開放してある容器と、
容器の透明部、開放部の前面に位置する透明膜と、
その透明膜を巻き取るための巻き取り装置から構成した、
カメラなどの視界維持装置。
【請求項２】
請求項１記載の装置において、
巻き取り装置はモータと駆動軸と回転軸で構成し、
モータを一定量だけ回転させる制御装置を備えた、
カメラなどの視界維持装置。
【発明の詳細な説明】
【技術分野】
【０００１】
本発明は、カメラやセンサーなどの視界を維持するための装置に関するものである。
【背景技術】
【０００２】
カメラやセンサーを定位置に設置し、長期間継続して撮影をしたり、検知をする場合がある。
そのような装置を現場に設置した場合に、撮影窓に粉塵などが付着して良好な視界を阻害する場合が生じる。
そのために透明な窓の視界を維持する必要があり、従来は特許文献１の自動車のワイパーのように、表面の粉塵を機械的にふき取る構造が一般的であった。
【先行技術文献】
【特許文献】
【０００３】
【特許文献１】特開平９−７６７４４号公報
【発明の概要】
【発明が解決しようとする課題】
【０００４】
前記したような従来の視界を維持するための装置にあっては、次のような問題点がある。
＜１＞  視界が不鮮明になると、監視カメラの映像が見にくくなり、センサーでは誤作動する場合がある。
＜２＞  建設現場のように、大きい粒子の粉塵が大量に発生する場所では、ワイパーのような表面を強くこする装置では透明であるべき窓の材料に傷がつきやすく、やはり映像が不鮮明になる原因となる。
＜３＞  一般には人間の手で直接汚れをふき取っているが、粉塵が多量に発生する場所ではそのために多くの労力を必要とする。
＜４＞  カメラやセンサーの設置位置は、他の作業に影響を与えないように高所である場合が多く、その場合にはさらにメンテナンスに労力を要する。
【課題を解決するための手段】
【０００５】
上記のような課題を解決するために、本発明のカメラなどの視界維持装置は、カメラなどを収納できる寸法を備え、かつ少なくとも一面の一部が透明であるか開放してある容器と、容器の透明部、開放部の前面に位置する透明膜と、その透明膜を巻き取るための巻き取り装置から構成したことを特徴とするものである。
さらに上記の装置において、巻き取り装置はモータと駆動軸で構成し、モータを一定量だけ回転させる制御装置を備えたことを特徴とするものである。
【発明の効果】
【０００６】
本発明のカメラなどの視界維持装置は以上説明したようになるから次のような効果を得ることができる。
＜１＞  モータの駆動でカメラなどの前面の透明膜を移動できるから、常に鮮明な視界を確保することができる。
＜２＞  容器の収納するものがセンサーであれば、信頼性の高い信号を出力させることができる。
＜３＞  高所にあるカメラなどでも、モータを回転するだけで鮮明な透明度、視界を得ることができるから、人の手でふき取るような作業が不要であって、きわめて経済的である。
【図面の簡単な説明】
【０００７】
【図１】本発明の装置の実施例の側面からの説明図。
【図２】その正面からの説明図。
【発明を実施するための形態】
【０００８】
以下図面を参照にしながら本発明の好適な実施の形態を詳細に説明する。
【実施例】
【０００９】
＜１＞全体の構成
本発明の装置は、収納容器１と、透明膜２、および透明膜２を巻き取る巻き取り装置３によって構成する。
【００１０】
＜２＞収納容器
収納容器１は木材、鋼材、合成樹脂などで構成した立方体、直方体の箱体である。
収納容器１は、カメラ４、センサーなどを収納できる寸法を備えている。
この収納容器１の六面の内の少なくとも一面には透明窓１１を開設する。
その場合に、一面の全面を開放状態とするか、全面をガラスなどの透明の板で閉鎖するか、あるいは不透明の板の一部に小型の透明窓１１を開放するか、いずれかの構成を採用する。
この透明部から、カメラ４での撮影やセンサーによる検知を行う。
【００１１】
＜３＞透明膜
容器１の透明部、開放部の前面には透明膜２を位置させる。
この透明膜２としては、例えばポリ塩化ビニリデン製の「サランラップ」（登録商標）と呼ばれる透明膜２を利用できるが、その他の多くの市販の食品包装用の透明シートをそのまま使用することができる。
透明膜２は、巻き取った筒の状態で市販されているので、筒のまま、後述する巻き取り装置３の回転軸３１に取り付け、さらにそれを透明窓１１の前面に展開してその他端を駆動軸３２に取り付ける。
【００１２】
＜４＞巻き取り装置
その透明膜２を巻き取りスライドさせるために、収納容器１の一部に巻き取り装置３を設ける。
巻き取り装置３は、回転軸３１、駆動軸３２、駆動軸３２に取り付けたモータによって構成する。
このモータ３３の駆動スイッチを、人が簡単に手の届く位置に配置しておけば、いつでもモータ３３を駆動させて透明膜２のスライドを行うことができる。
【００１３】
＜５＞制御装置
上記したように必要な時にモータ３３のスイッチによってモータ３３を駆動して巻き取り装置３を回転させて、透明窓の前面の透明膜２をスライドさせることができる。
しかしそのスライドを自動化することもできる。
そのために、巻き取り装置３の駆動モータ３３を一定量だけ回転させる制御装置を備える。
その制御装置によって、例えば１日に一定量、すなわち透明膜２が透明窓１１の面積に応じた距離だけスライドする回転量を与えるように構成することができる。
【符号の説明】
【００１４】
１：収納容器
２：透明膜
３：巻き取り装置
４：カメラ
【図１】
2013130803.tif 000003
【図２】
2013130803.tif 000004
(57)【要約】【課題】飲食等の店舗は顧客のリピート率を高めるために、ポイントカードを導入していることが一般的である。しかしながら店舗の従業員は営業時間の煩雑時に対応できないことが多い。また、紙の素材によるカードであるためあおの分の印刷代などのコストもかかる。【解決手段】顧客の保有する携帯電話のＧＰＳ機能を利用すること及び滞在時間のカウントプログラムによって自動的にポイントを付与、加算することができ、顧客のリピート率を高めることができる。【選択図】図３
2013130900.tif 000002
【特許請求の範囲】
【請求項１】
携帯電話によるＧＰＳ機能と位置情報一致からの滞在時間経過によるポイント加算システム
【発明の詳細な説明】
【技術分野】
【０００１】
本発明は、携帯電話におけるポイント加算システムに関する。
【背景技術】
【０００２】
携帯電話端末のＧＰＳ機能により位置情報が把握できる。
【０００３】
従来の飲食業においては、来店ポイント付与については、紙が使われていた。
【０００４】
タイマーのプログラムにより時間の経過を把握する。
【先行技術文献】
【特許文献】
【０００５】
【特許文献１】特開2007-079650
【非特許文献】
【０００６】
【非特許文献１】意匠登録1421484
【発明の概要】
【発明が解決しようとする課題】
【０００７】
リピート率を高めるためにポイントカードを採用しても店舗従業員は煩雑さがともなった。
【０００８】
位置情報が確認できたとしても不正取得の可能性がある。
【課題を解決するための手段】
【０００９】
本発明は、携帯端末のＧＰＳ機能による店舗の位置情報と滞在時間のタイマープログラムにより来店の確認を把握することを特徴とする。
【発明の効果】
【００１０】
本発明は、携帯電話のＧＰＳ機能と滞在時間把握のプログラムにより自動にポイントが付与されるため店舗従業員の労力、紙の費用が削減される。
【図面の簡単な説明】
【００１１】
【図１】ＧＰＳ機能作動
【図２】位置情報が一致すると滞在時間の開始
【図３】滞在時間が一定時間過ぎるとポイント加算
【発明を実施するための形態】
【００１２】
携帯電話のＧＰＳ機能が作動している状態にしておく。
【実施例】
【００１３】
店舗で携帯電話のＧＰＳと滞在時間によるポイント加算アプリケーションをダウンロードしてもらう。
【産業上の利用可能性】
【００１４】
手動による紙のポイント付与が自動化されるため労力、材料費の削減になるため紙のポイントカードから携帯電話のアプリケーションへの移行が促される。
【符号の説明】
【００１５】
ＧＰＳ機能作動
【００１６】
位置情報確認後タイマー作動
【００１７】
一定時間経過によるポイント加算
【図１】
2013130900.tif 000003
【図２】
2013130900.tif 000004
【図３】
2013130900.tif 000005
(57)【要約】      （修正有）【課題】足台、楽器スタンド、譜面台を一体化し且つ壁掛けにもした壁掛け付き足台・譜面台一体型楽器スタンドを提供する。【解決手段】足台兼置台になる直径３６５ｍｍの５．５φのワイヤーリング１、２７５ｍｍの５．５φのワイヤーリングを上下に高さ８０ｍｍの円錐台形を作る。三点スポット溶接。その上にドーナツ型クッションを置く。円錐台形に楽器兼譜面台の支持棒をつける。Ｌ字型に傾斜をつけ加工した５．５φワイヤー２本を支持棒とし、上部ワイヤーリングにハの字型に溶接。棒途中２か所に補強のリブ（鋭角に折り曲げ広げるだけ）を設ける。【選択図】なし【特許請求の範囲】
【請求項１】
本体一部或いは総体を合目的性の資質に変えた壁掛け付足台・譜面台一体型楽器スタンド。例：材質を替え（籐、アルミ、木製、化繊等）、保持緩衝部（組紐）をスポンジに、台座部を収納、スツール等に変えた壁掛け付足台・譜面台一体型楽器スタンド。
【請求項２】
本体一部或いは総体を可変性の機構体に変えた請求項１の壁掛け付足台・譜面台一体型楽器スタンド。例：台座、譜面台間の支柱部を１本に纏め伸縮（異径軽パイプ等）、曲り部と譜面台とに角度調整金具、弾性体・超弾性可塑体を使って折り畳み式の請求項１の壁掛け付足台・譜面台一体型楽器スタンド。
【発明の詳細な説明】
【発明の詳細な説明】
【０００１】本発明は楽器スタンド、譜面台、足台、壁掛けに関するものである。
【背景技術】
【０００２】従来の楽器スタンド、譜面台、足台、壁掛けにおいては個別のものであった。
【考案が解決しようとする課題】
【０００３】従来の楽器スタンド、譜面台、足台、壁掛けにあっては、それぞれ収納、揃え、用いる繁多。散逸。
【課題を解決するための手段】
【０００４】上記の問題点を解決するために、本発明は楽器スタンド、譜面台、足台、壁掛けを一つのものにした。
【発明を実施するための形態】
【０００５】足台兼置台になる直径３６５ｍｍ（写真１−１）、２７５ｍｍ（写真１−２）の５．５φのワイヤーリングを上下に高さ８０ｍｍの円錐台形を作る。三点スポット溶接。その上にドーナツ型クッション（写真１１）を置く。円錐台形に楽器兼譜面台の支持棒をつける。本発明はＬ字型に傾斜をつけ加工した５．５φワイヤー２本を支持棒（写真４）とし、上部ワイヤーリングにハの字型に溶接。棒途中２か所に補強のリブ（鋭角に折り曲げ広げるだけ）を設ける（写真２−８，９）。床から６６０ｍｍの所で１００ｍｍを残し内角１３０°に２本同一に折り曲げ、「ひ」の字を広げた形の保持兼譜面台軸（写真１−５）を溶接。保持部に緩衝として組紐を使用（写真２−１２）。軸に自転車の籠の荷物押さえのような金具（写真２−１０）の両サイドのねじりワッカを通す。先端を譜面落下止めに折り曲げ（写真１−６）てある。これが壁掛けの際、楽器を壁からの離れ、垂直にする支保になる。両ワッカ端部を定角部位に当たるよう定角譜面台とする。角度調整にはアジャスターを備品。尚この幅では譜面の両端が垂れるので片方を面台に預け、軸に刺して使う円曲棒がある（写真３）。一切自在機構を用いず、ワイヤーのみの構造に、よりシンプルとなる。以上一体化によって堅牢安価に質実性を有す。
【考案の効果】
【０００６】志半ばであっても、ケースに入れ隅置きするよりも身近に目に触れ、手の届く所にいつも凛と立てて置いてあれば、それだけで癒され和む便利なアイテムとなる。簡素、置き場の解消、壁掛けも出来、狭小に最適。公（演奏会）私（練習）ディスプレイ（ショーウインドー）に供する。
【図面の簡単な説明】（図面代用写真の説明）【図】
【写真１】
本発明の概寸法、フレーム写真。
【写真２】
本発明の足台兼置台のクッションをセットした写真。
【写真３】
本発明の足台クッション、譜面をセットした写真。
【写真４】
本発明のギターをセットした写真。
【符号の説明】１    ワイヤーリング  ５．５φ×３６５ｍｍ（直径）２    ワイヤーリング  ５．５φ×２７５ｍｍ（直径）３    間柱  ５．５φ４    支柱  ５．５φ５    保持兼面台軸  ５．５φ６    落下止め  ５．５φ７    持ち運び取っ手兼壁掛けバー８    リブ９    リブ１０  面台  ５．５φ１２  組紐１３  バンド１４  フック１５  フック掛け１６  足台クッション１７  置台クッション
2013130851.tif 000002
(57)【要約】      （修正有）【課題】鍵盤型オルゴール装置で譜面どうりの長さが演奏できるようにする。【解決手段】回転駆動源、および回転駆動源によって回転する回転駆動軸、爪歯車１１が回転自在になるよう複数配列された爪歯車を設け、爪歯車１１の爪３を押棒４と振動弁１の先端で停止させる。【選択図】図１
2013130849.tif 000002
【特許請求の範囲】
【請求項１】
押棒を用いて複数の振動弁を爪歯車で弾弁するオルゴールに関し、回転駆動源を設け、前記回転駆動源によって回転する回転駆動軸と前記爪歯車が回転自在になるよう複数配列された爪歯車を、押棒と振動弁の先端で停止させるようにした爪車回転制御装置。
【発明の詳細な説明】
【技術分野】
【０００１】本発明は、オルゴールの鍵を手で直接演奏できる弾弁装置に関する。
【背景技術】
【０００２】従来のオルゴールの弾弁装置に関し手で演奏できる装置はあった。
（例えば、特許文献１参照）
【先行技術文献】
【特許文献】
【０００３】
【特許文献１】特開２００４−２０６０２８
【発明の概要】
【発明が解決しようとする課題】
【０００４】従来、オルゴールは、１度爪、もしくはピンで弁を弾いたらつぎの爪、もしくは、ピンが来るまでは振動している。
この為、音の長さを楽譜通りに演奏できなかった。
これを従来装置の例で説明をすると、一般的に知られているドラム型のオルゴールでは図４に示す通りシャフト１４と同一回転をするドラム１３に埋め込まれたピン１５が矢印の方向に回転して、弁１をはじく。
そして、次のピンがくるまで振動をしている。【０００５】また図５、６に示すようなディスクもしくはシート状の厚紙１６にあけられた孔１９に爪２を引っ掛けて、弁１を振動させるいわゆる爪歯車方式のものも次の爪が来るまで振動し続ける。
この種の動作については、例えば特開平９−１５２８６３の図６に詳しく述べられていますが本発明の図５、図６でさらに説明すると、図５はオルゴール装置の上面図、図６は側面図で図６において駆動軸１７は常時矢印の方向に回転している。また爪２，３、は爪歯車１１と一体になっており、直交する４個の爪を持つ。
爪歯車１１は駆動軸１７と隙間を持って、摺動回転をしており、爪歯車１１は両脇を駆動軸１７に固着された樹脂製リング９でガイドされている。
図５で厚紙１６にあけられた孔１８，１９に爪２が入り厚紙１６が進んでいくと爪３がオルゴールの弁をはじいて音を出す。
矢印Ｂはシートの切り欠き部。
斜線を施した爪１２は、シートに穴が開いていないときの厚紙１６に当接して停止している爪の位置を表し弁１には接触していない。【０００６】図７の従来の弾弁装置では、オルゴールの弾弁用爪歯車１１をオルゴールの弁に当接しないよう爪ストッパー２０を設けている。
これによりオルゴールの振動は次の弾鍵動作が来て弁をはじくまで振動をする。
以上に述べた従来のオルゴールの弾弁装置では、鍵盤を押している間だけ音が出るというわけには行かなかった。
すなわち、楽譜通りの長さを演奏することが出来ないと言う欠点があった
これは従来のオルゴールの装置を忠実に行おうとするためにストッパー２０を設けたと思われるが、実際に演奏をしてみると各音階の音が、入り混じって音楽になっていない場合もあった。
このため楽譜通りの長さを演奏できる装置が望まれていた。
本発明は、オルゴールの弾弁装置の改善を図った装置である。
【課題を解決するための手段】
【０００７】本発明は上記目的を達成するために
押棒を用いて複数の振動弁を爪歯車で弾弁するオルゴールに関し、回転駆動源を設け、前記回転駆動源によって回転する回転駆動軸と前記爪歯車が回転自在になるよう複数配列された爪歯車を、押棒と振動弁の先端で停止させるようにした爪車回転制御装置。
【発明の効果】
【０００８】上述したように本発明のオルゴールの弾弁装置により、オルゴール弁の振動は楽譜通りの長さを演奏できる。
また図７に示す従来の装置の押棒の当接する爪よりも図１に示す本装置の押棒の当接する爪の位置が垂直に近いため押棒のストロークを短くすることが出来る。
これにより鍵盤２１のストロークも短くなるので演奏しやすくなる。
【図面の簡単な説明】
【０００９】
【図１】本発明の爪歯車の初期状態を示す側面図
【図２】爪歯車の押棒による回転状態を示す側面図
【図３】爪歯車の押棒による停止状態を示す側面図
【図４】ドラムと爪のオルゴールの動作を説明する側面図
【図５】爪歯車を持つオルゴール装置の上面図
【図６】爪歯車を持つオルゴール装置の側面図
【図７】従来の手で演奏をするオルゴールの爪歯車ストッパーの説明用側面図
【図８】鍵盤型オルゴールの上面図
【図９】鍵盤型オルゴールの右側面図
【発明を実施するための形態】
【００１０】以下、本発明の実施の形態を図に基づいて説明する。
【００１１】本発明の動作を説明すると、図１で図８，９にある鍵盤２１を押すことにより進退する押棒４は鍵盤２１を押鍵する前の状態である。
この状態では、爪３がオルゴールの弁１に接着された振動防止用の薄い樹脂性シート５に当接して停止している。
この状態で、押棒４を進めると爪３が弁１をはじいて音を出す状態になる。
次に爪歯車１１は、駆動軸１０により自重と駆動軸１０の回転摩擦力で回転し続け、図３の状態になり、爪３が押棒４に当たって停止する。
押棒４戻すと爪車１１はさらに回転をして、図１のように元に戻る。
【実施例】
【００１２】  図８，９に本発明を搭載した鍵盤型のオルゴール演奏装置を説明すると図８は装置の上面図９は図８の右側面図である。
２９は減速きつきモーターを搭載した爪歯車を持ったオルゴールである。
２１の鍵盤を押すと鍵盤に圧入されてワイヤー２５の先端２６が押されチューブ２４を介してチューブ２４を保持したガイド２７を通してワイヤー２５の先端が押棒４となって歯車１１の爪を押す。
【符号の説明】
【００１３】６  オルゴール弁の取り付けネジ
７  オルゴール弁の取り付け台
８  オルゴールの基盤
１０  駆動軸
２２  鍵盤の回転用軸
２３  チューブ２４の保持板
３０  圧縮スプリング
【図１】
2013130849.tif 000003
【図２】
2013130849.tif 000004
【図３】
2013130849.tif 000005
【図４】
2013130849.tif 000006
【図５】
2013130849.tif 000007
【図６】
2013130849.tif 000008
【図７】
2013130849.tif 000009
【図８】
2013130849.tif 000010
【図９】
2013130849.tif 000011
(57)【要約】【課題】従来、ビニールシート等が風で煽られるのを防ぐ場合、杭を差すか、重りを置く等を行っていた。しかし、砂地やコンクリートでは杭がきかず、また、その場に適度な重りがあるとも限らなかった。又、物にシートを被せる場合、シートが風で煽られるのを防ぐためにロープで縛りつけるか重りを置いたりしていた。しかし、物を出し入れする度にロープを解いたり結んだりするのに手間がかかり、又、その場に適度な重りがあるとも限らなかった。本発明はシート等が風で煽られるのを防ぐ重しを提供する。【解決手段】シートの端を辺に沿っでおさえるよう、また、シートを被せた物の形状に沿うよう細長い形状とする。内面は内部に水を保持できるよう防水性能を持たせる。袋状のシートの口部分に防水性のあるファスナーを設ける。その端を折り、その状態を固定するために面テープを設ける。以上の構成を特徴とするシート止め用水袋。【選択図】図１
2013130046.tif 000002
【特許請求の範囲】
【請求項１】
内部に水を保持できるよう内部面及び口をとめる部分に防水性能を有し、細長い袋状の形態をもつシート止め用水袋。
【請求項２】
袋の口を防水性能をもつファスナーにて留め、その部分を折り畳んだ状態を面テープで固定するシート止め用水袋。
【発明の詳細な説明】
【技術分野】
【０００１】この発明は地面に敷いたり物に被せたビニールシート等が風で煽られたりしないよう重りとして使用できるシート止め用水袋に関するものである。
【背景技術】
【０００２】従来、ビニールシート等を敷く場合は端を杭で固定するか、荷物や石等を重りとして置いていた。又、外に置く物を風雨から守るためにシートを掛ける場合はロープで縛ったり、重りを置いていた。
【先行技術文献】
【０００３】
【発明の概要】
【発明が解決しようとする課題】
【０００４】従来、ビニールシート等が風で煽られるのを防ぐ場合、杭を差すか、重りを置く等を行っていた。しかし、砂地やコンクリートでは杭がきかず、また、その場に適度な重りがあるとも限らなかった。
又、物にシートを被せる場合、シートが風で煽られるのを防ぐためにロープで縛りつけるか重りを置いたりしていた。しかし、物を出し入れする度にロープを解いたり結んだりするのに手間がかかり、又、その場に適度な重りがあるとも限らなかった。本発明は以上のような欠点をなくすためになされたものである。
【課題を解決するための手段】
【０００５】シートの端を辺に沿っておさえるため、また、シートを被せた物の形状に沿って変形するよう細長い形状とする。内面は内部に水を保持できるよう防水性能を持たせる。袋状のシートの口部分に防水性のあるファスナーを設ける。その端を折り、その状態を固定するために面テープを設ける。以上の構成によるシート止め用水袋。
【発明の効果】
【０００６】内部に水をためてシートが風で煽られるのを防ぐための重しとして使用するため杭のきかない砂地やコンクリート等でも使用できる。重しとして利用するのが水のため、例えば海やキャンプ場、工事現場等その場で調達し易い。物にシートを被せた状況に対してもこの重り自体が対象物の形に沿って変形するため、安定した状態でシートを押さえられる。内部の水を抜けばたたむ事が可能なため、保管や持ち運びも容易。
【図面の簡単な説明】
【０００７】
【図１】本発明の斜視図
【図２】本発明の立面図
【図３】本発明の袋状の口部分の断面図
【発明を実施するための形態】
【０００８】細長い筒状のシート（１）の口部分に防水性のあるファスナー（２）を設ける。
口部分を折りたたんだ状態を固定するための面テープ（３）を設ける。
本発明は以上のような構造である。
本発明を使用するときは、口部分より水を入れ、ファスナー（２）を締める。
ファスナー（２）にかかる水圧を下げるためにその口部分を折り、面テープ（３）にて固定する。
地面に敷いたり物に掛けたりしているシートの上に置き、重しとして使用する。
【符号の説明】
【０００９】１  筒状のシート
２  ファスナー
３  面テープ
【図１】
2013130046.tif 000003
【図２】
2013130046.tif 000004
【図３】
2013130046.tif 000005
(57)【要約】      （修正有）【課題】鋼材に拠る柱と梁の接合は、剛接合にした場合、ラーメンとして水平力を解析し、ピン接合にした場合、筋交いにより水平力を解析していた。柱の上下をピン接合にした場合でも、柱がせん断力を負担できる柱と梁の接合部を提供する。【解決手段】日本にある神社建築や古民家を参考にして、角型鋼管柱Ａ１またはＨ型鋼柱Ｂ１にトッププレート３を設け、トッププレート３と梁のフランジ部分１とを梁、柱接続用ボルト２で接続することにより半剛接合を構成して、柱Ａ１またはＢ１がせん断力を負担できる接合部とした。【選択図】図１
2013130047.tif 000002
【特許請求の範囲】
【発明の詳細な説明】
【発明の詳細な説明】
【０００１】本発明は、従来建築設計で使用される、柱と梁を剛接合して、ラーメンとして水平力を負担するように取り扱われたり、あるいは、柱と梁をピン接合して筋交いで水平力を負担するように取り扱われた構造を、柱の上下をピン構造にしても、柱単独で水平力を負担できると考えた、考え方である。
【０００２】従来の建物の構造の考え方は、水平力を負担できる構造は、ラーメンと筋交いと考えられてきた。
【０００３】本発明は、柱の上下をピン構造とし、柱に係る力は、軸力とせん断力しかないことを、証明したものである。
【図面の簡単な説明】
【０００４】
【図１】鋼材柱の上下部の接続側面図
【図２】鋼材柱の上下部の見上げ図、見下げ図
【図３】鋼材柱の基礎接続部分見下げ図
【図４】鋼材柱の基礎接続部分側面図
【図５】接合部力線図
【符号の説明】
【０００７】Ａ１  角型鋼管柱
Ｂ１  Ｈ型鋼柱
１．  梁のフランジ部分
２．  梁、柱接続用ボルト
３．  柱トッププレート
４．  作業用空間
５．  基礎定着用ボルト
６．  コンクリート表面
Ｃ−１梁に伝わるせん断力
Ｃ−２柱と梁の圧縮力
Ｃ−３柱の上下に位置する梁部材
Ｃ−４柱に均等に伝わるせん断力
【図１】
2013130047.tif 000003
【図２】
2013130047.tif 000004
【図３】
2013130047.tif 000005
【図４】
2013130047.tif 000006
【図５】
2013130047.tif 000007
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
水流を利用して、水車を回し、ギヤにより回転数を上げ、そのトルクを利用して、発電機を動かし、送電し、電気を利用する方法
【請求項２】
水車が水に漬かる体積を出し、水車の中心とその重心の距離に水流をかけたものが、水車のトルクになると考えた方法。
【請求項３】
水車を支える躯体を鉄筋コンクリートで造り、底板と甲板の間を水が入らないように壁で仕切り、その部分を利用して浮力を計算し、底板が離れて付いた水車の部分を正確に水に沈めるように計算し、必要な水流を取り込み、必要なトルクを得る方法。
【請求項４】
開放したスラブと底板の間に水車を設置し、底板から立ち上がった鉄筋コンクリートの浮体の間を水を流す方法。
【請求項５】
鉄筋コンクリートの躯体を陸上で作り、クレーンを使って、海上に浮かべる工法。
(57)【要約】【課題】  構成部品を少なくした安価な蒸気加熱装置を得ること。【解決手段】  蒸気管路１に減圧弁２を取り付ける。減圧弁２は自力式の圧力調整弁とする。減圧弁２の出口側を二重管構造３とする。二重管構造３の中心部を減圧弁２からの蒸気流下部６として、二重管構造３の外周部を減圧弁２の入口側蒸気の流下部７とする。入口側蒸気の流下部７は、連通路８によって減圧弁２の入口側と連通する。  蒸気管路１から二重管構造３の流下部７へ入口側蒸気を供給することによって、減圧弁２からの蒸気流下部６を流下する蒸気は所定の温度まで加熱されて所望の乾き度あるいは過熱度となる。【選択図】図１
2013130353.tif 000002
【特許請求の範囲】
【請求項１】
蒸気管路内を流下する蒸気の乾き度や過熱度を制御するものにおいて、蒸気管路に配置した減圧弁の出口側を二重管構造として、当該二重管の中心部を減圧弁からの蒸気流下部として、二重管の外周部を減圧弁の入口側蒸気の流下部としたことを特徴とする蒸気加熱装置。
【発明の詳細な説明】
【技術分野】
【０００１】
本発明は、蒸気管路内を流下する蒸気の乾き度や過熱度を制御するものに関する。
【背景技術】
【０００２】
従来の蒸気加熱装置は、蒸気管路に気液分離器と蒸気流量計と加熱冷却手段と圧力検出手段、及び、温度検出手段を取り付けて、管路内を流下する蒸気を適宜加熱したり、冷却することによって、流下する蒸気の乾き度や過熱度を制御することができるものである。
【０００３】
上記従来の蒸気加熱装置では、気液分離器や蒸気流量計などを必要とするために、装置自体が高価なものとなってしまう問題があった。
【先行技術文献】
【特許文献】
【０００４】
【特許文献１】特開２００５−１２１２６２号公報
【発明の概要】
【発明が解決しようとする課題】
【０００５】
解決しようとする課題は、構成部品を少なくした安価な蒸気加熱装置を得ること。
【課題を解決するための手段】
【０００６】
本発明は、蒸気管路内を流下する蒸気の乾き度や過熱度を制御するものにおいて、蒸気管路に配置した減圧弁の出口側を二重管構造として、当該二重管の中心部を減圧弁からの蒸気流下部として、二重管の外周部を減圧弁の入口側蒸気の流下部としたものである。
【発明の効果】
【０００７】
本発明は、蒸気管路の減圧弁の出口側を二重管構造として、減圧弁から流下する中心部の蒸気を、外周部に流下させる減圧弁の入口側の蒸気、すなわち、減圧弁で温度降下や圧力降下をしていない比較的高温高圧の蒸気、で加熱することによって、蒸気管路内を流下する蒸気の乾き度や過熱度を制御することができる。
【図面の簡単な説明】
【０００８】
【図１】本発明の蒸気加熱装置の実施例を示す構成図。
【発明を実施するための最良の形態】
【０００９】
二重管の容積や長さは、必要とする乾き度や過熱度に応じて適宜選定することができる。
【実施例１】
【００１０】
図１において、蒸気の流下する蒸気管路１と、蒸気管路１に取り付けた減圧弁２と、減圧弁２の出口側に設けた二重管構造３とで蒸気加熱装置を構成する。
【００１１】
蒸気管路１の左端部は図示しないボイラー等の蒸気源と接続する。蒸気管路１に取り付ける減圧弁２は、蒸気と復水を気液分離する気液分離部と蒸気トラップ部４を内蔵した自力式の圧力調整弁とする。蒸気トラップ部４の下部に復水排出管５を接続する。
【００１２】
減圧弁２の出口側に設けた二重管構造３は、その中心部を減圧弁２からの蒸気流下部６とする。蒸気流下部６は、円筒状パイプの中にスタティックミキサー１２を設けたもので、減圧弁２から流下する蒸気を攪拌・混合するものである。二重管構造３の外周部を減圧弁２の入口側蒸気の流下部７とする。入口側蒸気の流下部７は、連通路８によって減圧弁２の入口側と連通する。連通路８には、入口側蒸気の流下部７へ供給する蒸気の量をコントロールするためのコントロール弁９を取り付ける。
【００１３】
入口側蒸気の流下部７の下部には、蒸気の凝縮した復水だけを外部へ排出する機能を有する蒸気トラップ１０を接続する。
【００１４】
蒸気管路１を流下してきた蒸気は、減圧弁２で流路を絞られることで減圧減温されて流下部６から図示しない蒸気使用機器等へ送られる。コントロール弁９の弁開度を調節して蒸気管路１から二重管構造３の流下部７へ流下する蒸気の量を制御しながら入口側蒸気を供給することによって、減圧弁２からの蒸気流下部６を流下する蒸気は所定の温度まで加熱されて所望の乾き度あるいは過熱度となる。
【産業上の利用可能性】
【００１５】
本発明は、蒸気管路内を流下する蒸気の乾き度や過熱度を制御するものに利用することができる。
【符号の説明】
【００１６】
１  蒸気管路
２  減圧弁
３  二重管構造
６  減圧弁からの蒸気流下部
７  入口側蒸気の流下部
８  連通路
９  コントロール弁
１０  蒸気トラップ
【図１】
2013130353.tif 000003
(57)【要約】      （修正有）【課題】店舗内で発生する犯罪を未然に防ぐ。【解決手段】ボックス２の内部に水槽３を設け、水溶液４を入れ、内部のポンプ５には接続部７を設け、接続部７にホース８を設け、ホース８に接続部９を設け、接続部９にシャワパイプ１０を設け、シャワパイプ１０に噴射用の穴１１を設け、ボックス２の内部に水を調整するためのフロートスイッチ１２を設け、電線１３を設け、ポンプ５に電線６を設け、電線１３、電線６を電源スイッチ１に接続する。【選択図】図１
2013232171.tif 000002
【特許請求の範囲】
【請求項１】
ボックス（２）の内部に水槽（３）を設け、水溶液（４）が入れ、内部のポンプ（５）には接続部（７）を設け、接続部（７）にホース（８）を設け、ホース（８）に接続部（９）を設け、接続部（９）にシャワパイプ（１０）を設け、シャワパイプ（１０）に噴射用の穴（１１）を設け、ボックス（２）の内部に水を調整するためのフロートスイッチ（１２）を設け、電線（１３）を設け、ポンプ（５）に電線（６）を設け、電線（１３）、電線（６）を電源スイッチ（１）に接続したことを特徴とする防犯装置。
【発明の詳細な説明】
【技術分野】
【０００１】  本発明は、店舗内で発生する犯罪を未然に防ぐために、防犯装置をカウンター前、上部と出入口上部に設置することによって、たとえば、犯人に店舗内のカウンター前で脅されたときに、電源スイッチを押せば、上部の防犯装置から水溶液が噴射され、犯人の全身にかかるようにしたものである。
また、犯人が驚いて逃げて出入り口に来たときに、また、上部の装置が働いて雨のように噴射されるので、犯人をすぐに捕まえることができる。
【背景技術】
【０００２】  従来、店舗内で発生する犯罪で犯人に脅されて暴行されて、現金を持ち逃げされていた。
【先行技術文献】
【特許文献】
【０００３】
【特許文献１】  登録実用新案第３１１０８９７号公報
【発明の概要】
【発明が解決しようとする課題】
【０００４】  従来、店舗内で発生する犯罪は、犯人に対して、恐怖心のために何も抵抗できず、噴射スプレー等、陳列棚が邪魔をして利用することができなかった。
【課題を解決するための手段】
【０００５】  ボックス（２）の内部に水槽（３）を設け、水溶液（４）が入れる。
内部のポンプ（５）には接続部（７）を設け、接続部（７）にホース（８）を設ける。
ホース（８）に接続部（９）を設け、接続部（９）にシャワパイプ（１０）を設け、シャワパイプ（１０）に噴射用の穴（１１）を設ける。
ボックス（２）の内部に水を調整するためのフロートスイッチ（１２）を設け、電線（１３）を設け、ポンプ（５）に電線（６）を設け、電線（１３）、電線（６）を電源スイッチ（１）に接続する。
以上のように構成された防犯装置である。
【発明の効果】
【０００６】  この発明は犯人が店舗内のカウンター前に来たときに、手元の電源スイッチを押すと上部にある防犯装置から水溶液が噴射され全身にかかる。
犯人が驚いて逃げて出入口付近に来ると、同じように別の電源スイッチを押すと、同じように水溶液が噴射されて犯人をすぐに捕まえることができる。
【図面の簡単な説明】
【０００７】
【図１】  本発明本体の斜視図である。
【図２】  本発明本体の使用状態を示した斜視図である。
【図３】  本発明本体の店舗出入口付近の噴射使用状態を示した斜視図である。
【図４】  本発明本体の店舗カウンター前の噴射使用状態を示した斜視図である。
【発明を実施するための形態】
【０００８】  ボックス（２）の内部に水槽（３）を設け、水溶液（４）が入れる。
内部のポンプ（５）には接続部（７）を設け、接続部（７）にホース（８）を設ける。
ホース（８）に接続部（９）を設け、接続部（９）にシャワパイプ（１０）を設け、シャワパイプ（１０）に噴射用の穴（１１）を設ける。
ボックス（２）の内部に水を調整するためのフロートスイッチ（１２）を設け、電線（１３）を設け、ポンプ（５）に電線（６）を設け、電線（１３）、電線（６）を電源スイッチ（１）に接続する。
この発明の防犯装置は、電源スイッチ（１）を押すとボックス（２）の内部にある水槽内のポンプ（５）が回転して水溶液（４）を吸い上げて、シャワパイプ（１０）より勢いよく噴射する仕組であり、また、内部の水位を決めておくとフロートスイッチ（１２）が働いて自然にスイッチが切れる。
【符号の説明】
【０００９】１  電源スイッチ
２  ボックス
３  水槽
４  水溶液
５  ポンプ
６  電線（電源スイッチ用）
７  接続部
８  ホース
９  シャワパイプ接続部
１０  シャワパイプ
１１  噴射用穴
１２  フロートスイッチ
１３  電線（水位調整用）
【図１】
2013232171.tif 000003
【図２】
2013232171.tif 000004
【図３】
2013232171.tif 000005
【図４】
2013232171.tif 000006
(57)【要約】【課題】パソコンでの言語入力はアルファベットを使用することで、とても解りづらく、特にアルファベットを使用しない言語では不便であった。【解決手段】 左側スペースキーを左親指キー、右側スペースキーを右親指キーとし言語を直接配列することにより、言語入力を容易にする。【選択図】図１
2013232168.tif 000002
【特許請求の範囲】
【請求項１】
スペースキーを分割したことを特徴とするパソコンキーボード。
【請求項２】
前記キーボードは左側スペースキーを左親指キー、右側スペースキーを右親指キーとして使用することを特徴とする請求項１記載のパソコンキーボード。
【発明の詳細な説明】
【技術分野】
【０００１】
この発明は、パソコンの新しい言語入力システム及びキーボードの形状に関する。
【背景技術】
【０００２】
従来のパソコンの言語入力システムは図3に示すJIS配列キーボードでアルファベットで入力しなければならない。
【発明の概要】
【発明が解決しようとする課題】
【０００３】
しかしながら、以上の技術によれば、言語をアルファベットで入力しなければならないので、アルファベットを使用しない言語では入力が煩雑になる問題がある。
そこで、この発明は、新しいキーボードで言語直接入力を提供することを課題とする。
【課題を解決するための手段】
【０００４】
以上の課題を解決するために、第一発明はスペースキーを二分割したことを特徴とするパソコンキーボードである。
また、第二発明は、スペースキー左側を親指左キーに、スペースキー右側を親指右キーとして使用することを特徴とするパソコンキーボードである。
【発明の効果】
【０００５】
第一発明、または第二発明、スペースキー左側を親指左キーに、スペースキー右側を親指右キーに、キーボードに、言語配列することにより、言語の入力が容易になる。
【図面の簡単な説明】
【０００６】
【図１】この発明の一実施形態を示す平面図である。
【図２】従来技術を示す平面図である。
【発明を実施するための形態】
【０００７】
この発明の一実施形態を、図1に示す。
キーを単独で押す。スペースキー左側とキーを同時に押す。スペースキー右側と同時にキーを押す。スペースキー左側とスペースキー右側と同時にキーを押す。
この事により、1つのキーに対して4つの押すパターンが出来る。そして1つのキーで4つの文字を入力することが可能となる。
【０００８】
「実施形態の効果」
この実施形態によれば、新親指シフト配列キーボードの働きで、アルファベット入力が不要になる。したがって言語直接入力が可能になる。同時に言語入力が飛躍的に容易になる。
「他の実施形態」
図1の実施形態ではキー配列はアルファベット以外の言語を配列しているもので良い。
【産業上の利用可能性】
【０００９】
パソコンの言語入力が容易になる。
【符号の説明】
【００１０】
1  新親指シフト配列キーボード     2  JIS配列キーボード
【図１】
2013232168.tif 000003
【図２】
2013232168.tif 000004
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
スペースキーを左右に分割し左側の前記スペースキーを左親指キー、右側の前記スペースキーを右親指キーとしてスペースキーとしての機能を残したまま親指シフト入力を可能とするパソコンキーボード。
【手続補正２】
【補正対象書類名】明細書
【補正対象項目名】０００４
【補正方法】変更
【補正の内容】
【０００４】
本発明は、スペースキーを左右に分割し左側の前記スペースキーを左親指キー、右側の前記スペースキーを右親指キーとしてスペースキーとしての機能を残したまま親指シフト入力を可能とするパソコンキーボードである。
【手続補正３】
【補正対象書類名】明細書
【補正対象項目名】０００５
【補正方法】変更
【補正の内容】
【０００５】
本発明によればスペースキーを左右に分割したことにより、同時にスペースキー右側に右親指キー機能、スペースキー左側に左親指キー機能をもたせた。このことによりスペースキーとしての機能を持たせたまま、親指シフト入力が可能となる。
(57)【要約】      （修正有）【課題】スピーカーに発生する余分な振動を従来のスピーカーに比べて減少させる。【解決手段】ネジ５の外周にリング状の電磁石４を取り付け、更にその電磁石４を永久磁石２の中に通している。ネジ５のネジ部はスピーカー全体を支持する土台７と直結したナット６に入っており、一方のネジ５の頭部には振動板１が取り付けられている。そしてネジ５と電磁石４は棒状の連結体３によって接続されている。以上の構造によって電磁石４に電気信号が流れると、それによって電磁石４から発生する磁界が永久磁石２の磁界と反発または吸着を起こすことでネジが回転する。これによってネジの回転方向と垂直方向に振動板１が振動することで電気信号を基に音声を再生することができる。【選択図】図２
2013232872.tif 000002
【特許請求の範囲】
【請求項１】
振動板を図２における▲２▼、▲４▼、▲５▼を組み合わせた機構で振動させているスピーカー。
【発明の詳細な説明】
【技術分野】
【０００１】  本発明は電気信号を音声に変換するスピーカーに関するものである。
【背景技術】
【０００２】  スピーカーは電気信号にしたがって振動板を振動させることで、音声を再生している。しかし電気信号によって一度発生した振動は、その電気信号が停止した後も振動板を振動させてしまい、これによってスピーカーは電気信号に忠実な音声を再生することができない。
【発明の概要】
【発明が解決しようとしている課題】
【０００３】  スピーカーに発生する余分な振動を従来のスピーカーに比べて減少させること。
【課題の解決手段】
【０００４】  本発明では、ネジの外周にリング状の電磁石を取り付け、更にその電磁石を永久磁石の中に通している。ネジのネジ部はスピーカー全体を支持する土台と直結したナットに入っており、一方のネジの頭部には振動板が取り付けられている。そしてネジと電磁石は棒状の連結体によって接続されている。以上の構造によって電磁石に電気信号が流れると、それによって電磁石から発生する磁界が永久磁石の磁界と反発または吸着を起こすことでネジが回転する。これによってネジの回転方向と垂直方向に振動板が振動することで、電気信号を基に音声を再生することができる。
【発明の効果】
【０００５】  本発明では振動板の振動と共に振動板に遠心力が発生するため、電気信号によって発生する振動以外の余分な振動を、その遠心力によって減少させることができる。
【図面の簡単な説明】
【０００６】
【図１】本発明を上から見た図
【図２】本発明を横から見た図
【符号の説明】
【０００７】▲１▼  振動板
▲２▼  永久磁石
▲３▼  ネジと電磁石を接続している連結体
▲４▼  リング状の電磁石
▲５▼  ネジ
▲６▼  土台と連結しているナット
▲７▼  スピーカーを支持する土台
【図１】
2013232872.tif 000003
【図２】
2013232872.tif 000004
(57)【要約】【課題】  クリップを介して携帯電話機に取り付け、ディスプレイの映像を拡大することによって鮮明な映像、文字を見ることができる携帯電話機用映像拡大レンズを提供する。【解決手段】  支柱の下端部に下部ボルトを介してクリップを回動自在に取り付け、支柱の上端部に上部ボルトを介してレンズ嵌着枠を回動自在に取り付け、レンズ嵌着枠に拡大レンズを嵌着したことを特徴とする。【選択図】図１
2013070352.tif 000002
【特許請求の範囲】
【請求項１】
支柱の下端部に下部ボルトを介してクリップを回動自在に取り付け、前記支柱の上端部に上部ボルトを介してレンズ嵌着枠を回動自在に取り付け、このレンズ嵌着枠に拡大レンズを嵌着したことを特徴とする携帯電話機用映像拡大レンズ。
【発明の詳細な説明】
【技術分野】
【０００１】  本発明は、クリップを介して携帯電話機に着脱自在に取り付けられ、ディスプレイの映像を拡大することによって明確で鮮明な映像を見ることができ、特に視力の衰えた高齢者が眼鏡・拡大レンズ等を使用する必要のない携帯電話機用映像拡大レンズに関するものである。
【背景技術】
【０００２】  従来、携帯電話機は小型に製造されていて、片方の掌に載せて使用できるようになっているが、ディスプレイの面積が小さいため、高齢者や目の不自由な人には見づらいので、電話機を持たない方の手で拡大レンズを持ってディスプレイの映像を見るようにしていた。
従って、携帯電話機を使っている間は両手が使えない不便があった。
【先行技術文献】
【０００３】
【特許文献１】特開２０１１号公報
【発明の概要】
【発明が解決しようとする課題】
【０００４】  従って、ディスプレイと拡大レンズの間隔が適切に保たれていないと明確な映像を読み取ることができないため、手に持ったレンズは常にディスプレイとの間隔を一定に保っていなければならないが、レンズを一定の間隔に保つことは困難で、特に老齢者、高齢者にとっては困難であった。
しかし、老齢者、高齢者にとって拡大レンズは常に用意しておく必要があった。
本発明は上記課題を解決するためになされたものである。
【課題を解決するための手段】
【０００５】  上記課題を解決するため本発明は、所定長さの支柱の下端部に下部ボルトを介してクリップを回動自在に取り付け、前記支柱の上端部に上部ボルトを介してレンズ嵌着枠を回動自在に取り付け、このレンズ嵌着枠に平面拡大レンズを嵌着することによって課題を解決したものである。
【発明の効果】
【０００６】  上記のように構成された本発明の携帯電話機用映像拡大レンズには次のような効果がある。
本発明の携帯電話機用映像拡大レンズを携帯電話機に取り付けた場合、予め設定された支柱の長さによってディスプレイと拡大レンズとの間隔が適切に一定に保たれているので、携帯電話を片手に持った状態で安定した映像を見ることができる。
携帯電話機用映像拡大レンズの支柱は合成樹脂等の軽量な材質からなっているので、同様に軽量な材質の拡大レンズを折り畳めば、洋服のポケットに収納できる。
支柱、拡大レンズ、クリップは何れも合成樹脂を使用することにより大量に製造できるので、安価に提供できる。
【図面の簡単な説明】
【０００７】
【図１】本発明の斜視図
【図２】本発明の正面図
【図３】本発明の右側面図
【図４】本発明の取付状態を示した図
【発明を実施するための形態】
【０００８】  以下、本発明の実施の形態を図面に基いて説明する。
図１は本発明の斜視図、図２は本発明の正面図、図３は本発明の右側面図、図４は本発明の取付状態を示した図で、図中の符号Ａは携帯電話機のディスプレイを示す。
１は所定長さの角柱状で垂直の支柱で、合成樹脂又はアルミ等の軽量な金属からなり、上端部と下端部は表面が丸味を帯びるように形成され、上端部にはレンズ嵌着枠取付部２が設けられ、下端部にはクリップ取付部４が設けられ、支柱の中間部に複数（図面では３枚）の補強板１ｂを等間隔に設けることによって複数の空間１ｃが形成されている。
２は支柱１の上端部の内側に設けられたレンズ嵌着枠取付部で、水平方向に貫通穴が設けられ、中間部に切り込み１ａが設けられている。
３は拡大レンズを嵌着するための溝３ｂが設けられ、中間部に前記切り込み１ａに回動自在に取り付けるための回動盤３ａが設けられているレンズ嵌着枠で、上部取付ボルト７を介して支柱１に回動自在に取り付けられるようになっている。
４は支柱１の下端部に設けられたクリップ取付部で、クリップ５の上部に設けられた回動盤５ａと下部ボルト６を介してクリップ５が回動自在に取り付けられている。
７は上部ボルトで、支柱１の上端部の切り込み１ａにレンズ嵌着枠３の回動盤３ａを嵌着し、上部ボルト７を介してレンズ嵌着枠３が回動自在に連設され、レンズ嵌着枠３のレンズ嵌着溝３ｂに拡大レンズ８が嵌着されている。
拡大レンズ８は薄い合成樹脂板を加工成型したもので、携帯電話機のディスプレイの面積よりやや大型の長方四角形に形成され、短い方の辺がレンズ嵌着枠３のレンズ嵌着溝３ｂに嵌着されている。
上記のように構成された本発明を実際に使用する場合は次のようになる。
支柱１の下端部に設けられたクリップ５を利用し、携帯電話機のディスプレイの上方に拡大レンズがディスプレイを覆うように携帯電話機用映像拡大レンズを取り付ける。
支柱１に取り付けられた拡大レンズ８は支柱１の高さがレンズの拡大率の適切な高さ（ディスプレイとの間隔）に保たれているので、拡大レンズ８を取り付けるだけで明確で鮮明な映像を見ることができる。
クリップ５と拡大レンズ８は支柱１に回動自在に取り付けられているので、レンズの位置、焦点を自在に調節できる。
【符号の説明】
【０００９】１    支柱
２    レンズ嵌着枠取付部
３    レンズ嵌着枠
３ａ  回動盤
３ｂ  レンズ嵌着溝
４    クリップ取付部
５    クリップ
５ａ  回動盤
５ｂ  切り込み
６    下部ボルト
７    上部ボルト
８    拡大レンズ
【図１】
2013070352.tif 000003
【図２】
2013070352.tif 000004
【図３】
2013070352.tif 000005
【図４】
2013070352.tif 000006
(57)【要約】【課題】  バッグなどにヘッドフォンを入れておくと、すぐにコードが絡まってしまう。【解決手段】  ヘッドフォンのコードを少し硬めにしてコードが絡まりにくくする。【選択図】図１
2013070349.tif 000002
【特許請求の範囲】
【請求項１】
コードの材質が少し硬めの材質でコードが絡まりにくいヘッドフォン
【発明の詳細な説明】
【技術分野】
【０００１】  コードを少し硬めにして、コードを絡まりにくくしたヘッドフォンに関するものである。
【背景技術】
【０００２】  従来、バッグなどにしまっておくとコードが絡まり合うことがあった。
【発明の開示】
【発明が解決しようとする課題】
【０００３】  普段、バッグなどにヘッドフォンをしまっておくと絡まり合ってしまった。本発明は、以上のような欠点をなくすためになされたものである。
【課題を解決するための手段】
【０００４】  ヘッドフォンのコードの材質を少し硬めにして絡まりにくくする。
【発明の効果】
【０００５】  コードを細い針金のように少し硬くすることによって、コードが自由に動かないようにして絡まることを防ぐようにする。
【発明を実施するための最良の形態】
【０００６】  コードを普通のコードよりも少し硬めの材質にして、コードを自由に動かないようにさせる。それによってコードを絡まりにくくする。
【図面の簡単な説明】
【０００７】
【図１】  本発明の正面図である。
【符号の説明】
【０００８】
【図１】
2013070349.tif 000003
(57)【要約】【課題】電力不足と化石燃料の解決策【解決手段】バッテリーを３ッ使うことにより解決される【選択図】図１
2013070457.tif 000002
【特許請求の範囲】
【請求項１】
この発電システムの特長は３ッのバッテリーを使い１ッを使いながら少なくなったバッテリーに充電をして行く事によりエンドレスに使って行ける。
【発明の詳細な説明】
【技術分野】
【０００１】
あらゆる消費電力に対応出来るシステム
【背景技術】
【０００２】
なし
【先行技術文献】
【特許文献】
【０００３】
【特許文献１】個々の部品に対しては問題無い
【非特許文献】
【０００４】
【非特許文献１】なし
【発明の概要】
【発明が解決しようとする課題】
【０００５】
なし
【課題を解決するための手段】
【０００６】
なし
【発明の効果】
【０００７】
大きな発電システムも必要なく小さなものであらゆる物に対応出来る。例えばバイクに取り付けたり車に取り付けたり１戸建ての電源としても利用できる。今回のように被災地での電源にも使えるものです。
【図面の簡単な説明】
【０００８】
【図１】３台の蓄電池（以後バッテリーと言う）,仮にA,B,Cとします。Aを発電モーターと消費するモーター若しくは消費電力を使う。Aの蓄電量が少なくなった頃自動切り替えスイッチでAからBに替わる。Ａと同じ様にBでも発電モーターと消費電力を使う。発電モーターを使い発電した電力はAに充電する。これを繰り返す事により電気を使いながら充電して行く事が出来る。その用途に合わせてバッテリー並びに発電モーターを変える事により幅広く使うことが出来る。その際充電し過ぎない様に加充電スイッチを取り付けたり安定的に電気を送る為に安定器を付ける。
【発明を実施するための形態】
【０００９】
なし
【実施例】
【００１０】
なし
【産業上の利用可能性】
【００１１】
この発電システムによる考えられる用途は電動自転車から自動車、又家庭用電力としても使えます。ありとあらゆるものに利用可能となります。このシステムにより大きな電力機械などを必要としなくなり各家庭で使うと停電なども無くなり電線も無くなる。それにより放射線等の心配が無くなる。
【符号の説明】
【００１２】
なし
【図１】
2013070457.tif 000003